(57)【要約】【課題】  別体の留め具を用いずに、小さく折り畳んだ状態で保持することができ、収納や形態に便利な下着を提供すること。【解決手段】  下着本体１に、これを折り畳んだ状態で緊縛保持するためのループ状弾性紐２を装着する。下着本体１の裏面にタグの一端を固定すると共に、タグ固定位置の近傍において、下着本体１をループ状弾性紐２で貫通し、タグの他端をループ状弾性紐２に取り付けることがある。【選択図】      図１
2005036358.tif 000002
【特許請求の範囲】
【請求項１】
下着本体に、これを折り畳んだ状態で緊縛保持するためのループ状弾性紐を装着したことを特徴とする下着。
【請求項２】
前記ループ状弾性紐を、下着本体の表裏面を摺動自在に貫通して装着した請求項１に記載の下着。
【請求項３】
前記下着本体の裏面にタグの一端を固定すると共に、タグ固定位置の近傍において、前記下着本体を前記ループ状弾性紐で貫通し、前記タグの他端を前記ループ状弾性紐に取り付けた請求項２に記載の下着。
【請求項４】
インナーボトムである請求項１乃至３のいずれかに記載の下着。
【請求項５】
ウェスト部の後部中央に前記ループ状弾性紐を装着した請求項４に記載の下着。
【発明の詳細な説明】
【技術分野】
【０００１】
本発明は、収納及び携帯に便利な下着に関する。
【背景技術】
【０００２】
ショーツ、防寒パンツ等の下着を引き出し等へ収納したり、旅行等で携帯する時にバッグへ収納する際には、乱雑になりやすく、どこかに紛れ込んで使用時に見つからない場合も多い。小さく丸めて整理しようとしても、その素材の性質上、丸めた形状を維持しにくい。
【発明の開示】
【発明が解決しようとする課題】
【０００３】
この発明は、別体の留め具を用いずに、小さく折り畳んだ状態で保持することができ、収納や携帯に便利な下着を提供することを課題とする。
【課題を解決するための手段】
【０００４】
本発明の下着は、下着本体に、これを折り畳んだ状態で緊縛保持するためのループ状弾性紐を装着してある。下着本体を小さく折り畳み、その外側にループ状弾性紐を巻き付けて保持する。
また、下着本体の表裏面を摺動自在に貫通してループ状弾性紐を装着しても良い。
この場合、下着本体の裏面にタグの一端を固定すると共に、タグ固定位置の近傍において、前記下着本体を前記ループ状弾性紐で貫通し、前記タグの他端を前記ループ状弾性紐に取り付けると良い。
下着を、防寒パンツ、ショーツ、ガードル等のインナーボトムとすることがある。この時、ウェスト部の後部中央に前記ループ状弾性紐を装着すると良い。
【発明の効果】
【０００５】
本発明によれば、下着本体を小さく折り畳んで、その外側に下着本体に取り付けられたループ状弾性紐を巻き付けるだけで、別体の留め具等を用いることなく、小さく折り畳んだ状態に保持することができるので、収納や携帯に便利である。
請求項２に係る発明によれば、下着本体を、その表裏どちらの面を外に向けて折り畳んでも、ループ状弾性紐を引き出して緊縛することが可能であり、着用時には、ループ状弾性紐を目立たないように裏側へ引き込むことができる。
請求項３に係る発明によれば、タグを固定した部分は伸長しないので、ループ状弾性紐に加わった引張力で下着本体が変形しにくく、タグを摘んで引っ張ることにより、ループ状弾性紐を簡単に裏側へ引き込むことができる。
請求項５に係る発明によれば、ループ状弾性紐が肌に当たる不快感を軽減でき、普通に折り畳んだ状態で、ループ状弾性紐が中央部に位置するので、止め付けやすい。
【発明を実施するための最良の形態】
【０００６】
以下、下着がインナーボトムである実施例について、図面に基づいて詳細に説明する。
【実施例１】
【０００７】
図１乃至図３は、下着が防寒パンツである実施例１を示す。
本発明の下着は、図１に示すように、下着本体１に、これを折り畳んだ状態で緊縛保持するためのループ状弾性紐２を装着して成る。
下着本体１は、アクリル、ポリウレタン等を素材とする弾性糸を編成したもので、身頃部３と両側の脚部４とを一体に形成し、身頃部３の上端には、伸縮しやすいゴム編み等によりウェスト部５を設けてある。
図２に示すように、下着本体１の裏面において、ウェスト部５の後部中央には、サイズ、素材、洗濯方法等を表示したタグ６の一端を縫いつけてある。
【０００８】
ループ状弾性紐２は、下着本体１と調和する色のゴム紐等より成り、その両端を、タグ６の一端を固定した位置の近傍において下着本体１の表面側から、縦方向にやや間隔をあけて貫通させると共に、裏面側で互いに止め付けて輪状に形成してある。
また、ループ状弾性紐２の両端の止め付けた部分は、タグ６の他端に固定されている。
なお、ループ状弾性紐２は、下着本体１を構成する編地を傷つけないように、編み目の隙間を通すのが望ましい。
【０００９】
下着を収納する際には、図１に示すように、下着本体１の表面側にループ状弾性紐２を引き出し、下着本体１をそのウェスト部５の背面中央部（ループ状弾性紐２を装着した部分）が外面に露出するよう小さく折り畳み、図３に示すように、その外側からループ状弾性紐２を巻き付けて、折り畳んだ形状を保持する。
下着を着用する場合は、タグ６を摘んで引っ張ることにより、図２に示すように、下着本体１の裏面側にループ状弾性紐２を引き込み、表面に露出する部分を少なくてして目立たないようにする。
なお、ループ状弾性紐２とは、弾性紐の両端どうしを固定して輪にしたものだけではなく、タグ６に弾性紐の両端を固定してループ状に形成したものも含む。
【実施例２】
【００１０】
図４は、下着がショーツである実施例２を示す。
下着本体１は、編み目の小さい編地、或いは、織地を素材とし、そのウェスト口に沿って伸縮紐７を装着してある。
また、下着本体１の裏面において、ウェスト口の背面中央部に、ループ状弾性紐２の両端部を固定してある。
下着を収納する場合は、下着本体１を裏返して小さく折り畳み、その外側にループ状弾性紐２を巻き付ける。下着を着用する際には、ループ状弾性紐２が下着本体１の裏面に装着されて全く表面に現れないので、体裁がよい。
この実施形態では、下着本体１の表面側へループ状弾性紐２を引き出すことができないので、折り畳む際には裏返さなければならないが、ループ状弾性紐２が下着本体１を貫通しないので、生地を傷めにくい。
【産業上の利用可能性】
【００１１】
なお、編目の大きい素材より成る下着であっても、下着本体１をループ状弾性紐２で貫通せず、下着本体１の裏面にループ状弾性紐２の両端を固定しても良い。また、編目の小さい編地或いは織地より成る下着本体１に、やや間隔をあけて２個の透孔を形成し、この透孔にループ状弾性紐２を挿通することもできる。
さらに、下着本体１が伸縮性の小さい生地を素材とする場合は、タグ６を装着していない部分にループ状弾性紐２を取り付けても良い。
また、下着本体１の横方向に間隔をあけてループ状弾性紐２を貫通或いは固定することも可能である。
さらに、本発明の下着は、防寒パンツ、ショーツ等のインナーボトムに限定されず、腹巻き、シャツ等とすることも可能である。
【図面の簡単な説明】
【００１２】
【図１】実施例１を示す下着の背面図。
【図２】同上の要部裏面図。
【図３】同上の折り畳んだ状態を示す斜視図。
【図４】実施例２を示す下着の裏面斜視図。
【符号の説明】
【００１３】
１  下着本体
２  ループ状弾性紐
３  身頃部
４  脚部
５  ウェスト部
６  タグ
７  伸縮紐
【図１】
2005036358.tif 000003
【図２】
2005036358.tif 000004
【図３】
2005036358.tif 000005
【図４】
2005036358.tif 000006